(57)【要約】【課題】通常時と比較して緊急時における発光性能の低下が抑制された照明システムを提供する。【解決手段】照明システム１は、照明装置１０と、照明装置１０の点消灯を遠隔操作するスイッチ部２０とを有し、スイッチ部２０は、商用電源３０と照明装置１０との導通及び非導通を切り替えるスイッチ素子２１と、電池２４と、商用電源３０の停電を検知する停電検知部２２と、停電検知部２２が停電を検知した場合に、電池２４からの電力を照明装置１０に供給させる停電制御部２３とを備える。【選択図】図１
2016219385.tif 000002
【特許請求の範囲】
【請求項１】
照明装置と、前記照明装置の点消灯を遠隔操作する遠隔操作部とからなる照明システムであって、
前記遠隔操作部は、
商用電源と前記照明装置との導通及び非導通を切り替えるスイッチ素子と、
電池と、
前記商用電源の停電を検知する停電検知部と、
前記停電検知部が前記停電を検知した場合に、前記電池からの電力を前記照明装置に供給させる停電制御部とを備える
照明システム。
【請求項２】
前記遠隔操作部は、壁スイッチであり、
前記スイッチ素子、前記電池、前記停電検知部、及び前記停電制御部は、前記壁スイッチに内蔵されている
請求項１に記載の照明システム。
【請求項３】
照明装置と、前記照明装置の点消灯を遠隔操作する遠隔操作部とからなる照明システムであって、
前記遠隔操作部は、
電池と、
前記商用電源の停電を検知する停電検知部と、
前記停電検知部が前記停電を検知していない場合に、前記照明装置の点消灯を切り替えるリモコン装置と、
前記停電検知部が前記停電を検知した場合に、前記電池からの電力を前記照明装置に供給して前記照明装置を点灯させる停電制御部とを備える
照明システム。
【請求項４】
前記照明装置は、
発光素子を有する発光部と、
前記遠隔操作部から伝達された電力を受け、当該電力に基づいて直流電力を前記発光部へ供給する点灯回路とを備え、
前記照明システムは、さらに、
前記電池からの電力を交流に変換し、または、前記電池からの電力の電圧値または電流値を変換して前記点灯回路に供給する変換部を備える
請求項１〜３のいずれか１項に記載の照明システム。
【請求項５】
前記変換部は、前記電池からの電力を、前記商用電源と同じ周波数および同じ電圧に変換して前記点灯回路に供給する
請求項４に記載の照明システム。
【請求項６】
前記照明装置は、
発光素子を有する発光部と、
前記遠隔操作部から伝達された電力を受け、当該電力に基づいて直流電力を前記発光部へ供給する点灯回路とを備え、
前記点灯回路は、
前記遠隔操作部から入力された電力の電圧値を測定する入力電圧測定回路と、
前記入力電圧測定回路で測定された前記電圧値に基づいた前記直流電力を前記発光部へ出力する出力回路とを備える
請求項１〜３のいずれか１項に記載の照明システム。
【請求項７】
前記出力回路は、
前記入力電圧測定回路で測定された前記電圧値が前記電池から供給された電力に由来したものである場合、前記商用電源から供給された電力により前記発光部へ出力される前記直流電力よりも電力値または電流値が小さい直流電力を、前記発光部へ出力する
請求項６に記載の照明システム。
【請求項８】
前記照明装置は、
発光素子を有する発光部と、
前記遠隔操作部から伝達された電力を受け、当該電力に基づいて直流電力を前記発光部へ供給する点灯回路とを備え、
前記点灯回路は、
前記遠隔操作部から入力された電力の電流値を測定する入力電流測定回路と、
前記入力電流測定回路で測定された前記電流値に基づいた前記直流電力を前記発光部へ出力する出力回路とを備える
請求項１〜３のいずれか１項に記載の照明システム。
【請求項９】
前記出力回路は、
前記入力電流測定回路で測定された前記電流値が前記電池から供給された電力に由来したものである場合、前記商用電源から供給された電力により前記発光部へ出力される前記直流電力よりも電力値または電流値が小さい直流電力を、前記発光部へ出力する
請求項８に記載の照明システム。
【発明の詳細な説明】
【技術分野】
【０００１】
本発明は、照明システムに関する。
【背景技術】
【０００２】
一般の照明用光源として用いられるとともに、緊急用照明または携帯照明として使用可能な照明用光源が開示されている（例えば、特許文献１を参照）。特許文献１に開示された照明用光源は、バッテリーを内蔵しており、緊急用照明または携帯照明として用いられる際には、バッテリーが出力する電力により発光する。
【先行技術文献】
【特許文献】
【０００３】
【特許文献１】特開２０１２−２４８５３０号公報
【発明の概要】
【発明が解決しようとする課題】
【０００４】
しかしながら、一般に、照明用光源は、点灯中に光源素子等が発する熱により高温となる。一方、バッテリーは高温状態におかれると劣化が早まる。よって、バッテリーを備える緊急用及び携帯用の照明用光源は、通常時での発光性能に比べて発光輝度および発光時間などの発光性能が低下するという問題がある。
【０００５】
そこで本発明は、通常時と比較して緊急時における発光性能の低下が抑制された照明システムを提供することを目的とする。
【課題を解決するための手段】
【０００６】
上記目的を達成するために、本発明に係る照明システムの一態様は、照明装置と、前記照明装置の点消灯を遠隔操作する遠隔操作部とからなる照明システムであって、前記遠隔操作部は、商用電源と前記照明装置との導通及び非導通を切り替えるスイッチ素子と、電池と、前記商用電源の停電を検知する停電検知部と、前記停電検知部が前記停電を検知した場合に、前記電池からの電力を前記照明装置に供給させる停電制御部とを備える。
【０００７】
また、本発明に係る照明システムの一態様は、照明装置と、前記照明装置の点消灯を遠隔操作する遠隔操作部とからなる照明システムであって、前記遠隔操作部は、電池と、前記商用電源の停電を検知する停電検知部と、前記停電検知部が前記停電を検知していない場合に、前記照明装置の点消灯を切り替えるリモコン装置と、前記停電検知部が前記停電を検知した場合に、前記電池からの電力を前記照明装置に供給して前記照明装置を点灯させる停電制御部とを備える。
【発明の効果】
【０００８】
本発明によれば、通常時と比較して緊急時における発光性能の低下が抑制された照明システムを提供することができる。
【図面の簡単な説明】
【０００９】
【図１】実施の形態１に係る照明システムの機能ブロック図である。
【図２Ａ】実施の形態１に係るスイッチ部の具体的構成例を示す外観斜視図である。
【図２Ｂ】実施の形態１に係るスイッチ部、照明装置および商用電源の電気接続関係の一例を示す概略図である。
【図３】実施の形態１の変形例に係る照明システムの機能ブロック図である。
【図４】実施の形態２に係る照明システムの機能ブロック図である。
【図５】実施の形態３に係る照明装置の構成を示す回路図である。
【図６】実施の形態３の変形例に係る照明装置の構成を示す回路図である。
【図７】実施の形態４に係る照明装置の構成を示す回路図である。
【図８】実施の形態４の変形例に係る照明装置の構成を示す回路図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
［１−１．照明システムの構成］
まず、実施の形態１に係る照明システムの構成について図面を用いて説明する。
【００１３】
図１は、実施の形態１に係る照明システム１の機能ブロック図である。また、図２Ａは、実施の形態１に係るスイッチ部２０の具体的構成例を示す外観斜視図である。なお、図１には、照明システム１に加えて、商用電源３０が示されている。
【００１４】
図１に示された照明システム１は、照明装置１０と、スイッチ部２０とを備える。
【００１５】
照明装置１０は、発光素子を有する発光部と、スイッチ部２０から伝達された電力を変換することにより当該電力に対応した直流電力を発光部へ供給する点灯回路とを備えたランプである。照明装置１０は、照明装置１０の外部の電源から供給されるＤＣ電力またはＡＣ電力により点灯し、例えば、家屋の天井に配置される。
【００１６】
発光部は、例えば、複数のＬＥＤ素子を有するＬＥＤ（Ｌｉｇｈｔ  Ｅｍｉｔｔｉｎｇ  Ｄｉｏｄｅ）モジュールである。ＬＥＤ素子は、例えば、表面実装（ＳＭＤ：Ｓｕｒｆａｃｅ  Ｍｏｕｎｔ  Ｄｅｖｉｃｅ）型ＬＥＤ素子で構成される。なお、ＬＥＤ素子は、ＳＭＤ型ＬＥＤ素子でなくてもよく、基体に実装されたＬＥＤチップであってもよい。また、発光部は、複数のＬＥＤ素子で構成されている他、有機ＥＬ（Ｅｌｅｃｔｒｏ  Ｌｕｍｉｎｅｓｃｅｎｃｅ）素子など他の固体発光素子で構成されていてもよい。
【００１７】
スイッチ部２０は、商用電源３０と照明装置１０との間であって、照明装置１０と離間して配置され、商用電源３０から照明装置１０への電力供給を遠隔操作する遠隔操作部である。スイッチ部２０は、スイッチ素子２１と、停電検知部２２と、停電制御部２３と、電池２４と、変換部２５とを備える。スイッチ部２０は、例えば、図２Ａに示すように、家屋の壁に配置された壁スイッチ２０Ａである。壁スイッチ２０Ａは、操作者が操作する前面操作部２０１と、筐体２０２と、電池交換蓋２０３とを有している。操作者が前面操作部２０１を操作することにより、スイッチ素子２１の導通及び非導通が切り替えられ、商用電源３０から照明装置１０への電力供給の有無が選択される。また、壁スイッチ２０Ａは、内蔵された電池２４を、電池交換蓋２０３を開放することにより交換することが可能な構造となっている。なお、電池２４を交換する構成は、電池交換蓋２０３に限られない。また、電池２４が、二次電池などであって交換を要しない場合には、電池交換蓋２０３はなくてもよい。
【００１８】
なお、壁スイッチ２０Ａは、図１に示されたスイッチ部２０のように、商用電源３０および照明装置１０と１本の電気配線で接続される構成をとることに限定されない。
【００１９】
図２Ｂは実施の形態１に係る壁スイッチ２０Ｂ、照明装置１０および商用電源３０の電気接続関係の一例を示す概略図である。照明システム１が緊急時に電池駆動されることを考慮すれば、図２Ｂのように、壁スイッチ２０Ｂは商用電源３０および照明装置１０と２線式の電気配線で接続される構成をとることが好ましい。
【００２０】
［１−２．遠隔操作部の構成］
以下、スイッチ部２０の各構成について詳細に説明する。
【００２１】
スイッチ素子２１は、一端が配線を介して商用電源３０に電気的に接続され、他端が配線を介して照明装置１０に電気的に接続され、商用電源３０と照明装置１０との導通及び非導通を切り替える素子である。
【００２２】
停電検知部２２は、商用電源３０とスイッチ素子２１との接続経路上に配置され、商用電源３０からの電力供給が停止しているか否か、つまり、停電しているか否かを検知する。停電検知部２２は、上記停電を検知した場合に、例えば、停電制御部２３に停電検知信号を出力する。
【００２３】
電池２４は、停電時に照明装置１０を点灯させるための電力を照明装置１０に供給する非常用電源である。なお、電池２４は、一次電池であってもよいし、二次電池であってもよい。電池２４が二次電池である場合には、電池２４は、例えば、停電していない通常時に商用電源３０からの電力供給を受けて充電される。電池２４は、例えば、スイッチ部２０が壁スイッチ２０Ａである場合には、当該壁スイッチの筐体２０２に内蔵されている。
【００２４】
停電制御部２３は、停電検知部２２、電池２４及び変換部２５に接続されている。停電制御部２３は、例えば、停電検知部２２からの停電検知信号を受けた場合に、電池２４からの電力をスイッチ素子２１の一端へ供給させる。これにより、照明装置１０は、停電時に、スイッチ素子２１が導通状態となっている場合に、電池２４からの電力供給を受けて点灯することが可能となる。
【００２５】
なお、停電制御部２３は、停電検知部２２からの停電検知信号を受けた場合に、電池２４からの電力をスイッチ素子２１の他端へ供給させてもよい。
【００２６】
図３は、実施の形態１の変形例に係る照明システム２の機能ブロック図である。同図に示されるように、スイッチ部２６が備える変換部２５の出力先は、スイッチ素子２１の一端（図３の左側端部）ではなく、他端（図３の右側端部）となっている。これにより、照明装置１０は、停電時に、スイッチ素子２１の導通及び非導通を問わずに、電池２４からの電力供給を受けて自動点灯することが可能となる。
【００２７】
なお、スイッチ部２６は、照度センサを内蔵していてもよく、照明システム２の周囲が明るい場合には、停電制御部２３は、照度センサからの信号により照明装置１０を点灯させないという制御を行ってもよい。
【００２８】
なお、停電制御部２３は、電池２４が二次電池である場合、通常時には商用電源３０の電力を電池２４に充電させ停電時には電池２４に放電させるという充放電制御を実行してもよい。
【００２９】
また、スイッチ素子２１、停電検知部２２及び停電制御部２３は、例えば、スイッチ部２０が壁スイッチ２０Ａである場合には、壁スイッチ２０Ａの筐体に内蔵されていてもよい。これにより、照明システム全体としての構成を簡素化できる。
【００３０】
変換部２５は、電池２４から入力された電力を変換して照明装置１０が有する点灯回路に供給する回路である。より具体的には、上記点灯回路が交流電力を入力し当該交流電力を所定の電力に変換して発光部に供給する場合には、変換部２５は、電池２４から入力された直流電力を交流電力に変換してスイッチ素子２１の一端に供給する。また、上記点灯回路が、直流電力を入力し、当該直流電力を所定の電力に変換して発光部に供給する場合には、変換部２５は、電池２４から入力された直流電力の電圧値または電流値を変換してスイッチ素子２１の一端に供給する。
【００３１】
なお、変換部２５は、電池２４からの直流電力を変換した上記電力をスイッチ素子２１の一端に供給する替わりに、スイッチ素子２１の他端に供給してもよい。これにより、照明装置１０は、停電時に、スイッチ素子２１の導通及び非導通を問わずに、電池２４からの電力供給を受けて点灯することが可能となる。
【００３２】
また、好ましくは、変換部２５は、電池２４からの電力を、商用電源３０と同じ周波数および同じ電圧に変換してもよい。
【００３３】
これにより、照明装置１０の構成を変更せず、壁スイッチ２０Ａなどに例示されるスイッチ部２０の回路構成を変更するだけで、通常時だけでなく停電時にも活用できる照明システムを構築することが可能となる。
【００３４】
一般に、照明用光源は、点灯中に光源素子等が発する熱により高温となる。このため、非常用のバッテリーが照明用光源に内蔵されている場合、当該バッテリーは高温状態におかれるので劣化が早まる。よって、バッテリーを備える緊急用及び携帯用の照明用光源は、通常時の発光性能に比べて緊急時の発光性能が低下することとなる。
【００３５】
これに対して、本実施の形態に係る照明システム１では、停電時に電源となり得る電池２４を、照明装置１０には内蔵させず、照明装置１０を遠隔操作するスイッチ部２０に内蔵させている。これにより、照明装置１０を、緊急用または携帯用照明として使用する場合に、非常用電源である電池２４の劣化が抑制されるので、通常時と比べて緊急時における発光性能の低下を抑制することが可能となる。また、図２Ａに示されたように、電池２４を、電池交換蓋２０３を介して交換することにより電池２４を更新できるので、照明システム１の寿命を長くすることが可能となる。
【００３６】
なお、変換部２５はなくてもよい。ただし、この場合には、電池２４からの出力が、スイッチ素子２１を経由して照明装置１０が有する点灯回路に供給される。このため、電池２４から出力される直流電力が照明装置１０の入力電力として整合できるように、照明装置１０の点灯回路に、入力電力変換機能を持たせる必要がある場合がある。
【００３７】
（実施の形態２）
本実施の形態に係る照明システム３は、通常時に照明装置１０の点消灯を切り替えるスイッチ素子２１を有さず、照明装置１０の点消灯を切り替えるリモコン装置４１を備える。本実施の形態に係る照明システム３においても、停電時に電源となり得る電池は、照明装置１０には内蔵されておらず、照明装置１０を遠隔操作する遠隔操作部４０に内蔵されている。これにより、照明装置１０を、緊急用または携帯用照明として使用する場合に、非常用電源である電池の劣化が抑制されるので、通常時と比べて緊急時における発光性能の低下を抑制することが可能となる。以下、本実施の形態に係る照明システム３の構成について説明する。
【００３８】
［２−１．照明システムの構成］
図４は、実施の形態２に係る照明システム３の機能ブロック図である。図４に示された照明システム３は、照明装置１０と、遠隔操作部４０とを備える。以下実施の形態１に係る照明システム１と同じ構成については説明を省略し、異なる構成を中心に説明する。
【００３９】
遠隔操作部４０は、商用電源３０と照明装置１０との間であって、照明装置１０と離間して配置され、商用電源３０から照明装置１０への電力供給を遠隔操作する。遠隔操作部４０は、停電検知部２２と、停電制御部２３と、電池２４と、変換部２５、リモコン装置４１とを備える。遠隔操作部４０は、例えば、家屋の壁に配置されている。
【００４０】
［２−２．遠隔操作部の構成］
以下、遠隔操作部４０の各構成について詳細に説明する。
【００４１】
リモコン装置４１は、操作部４２、送信制御部４３、振動センサ４４および電池４５を備える。
【００４２】
操作部４２は、ボタンとして構成され、ユーザによる操作によって押下されると、押下されたことを示す操作信号を送信制御部４３に出力する。
【００４３】
振動センサ４４は、揺れを検知すると、揺れ検知信号を送信制御部４３に出力する。
【００４４】
送信制御部４３は、操作部４２から操作信号を受信すると、上述の切替信号を例えば赤外線で照明装置１０に送信する。また、送信制御部４３は、振動センサ４４から揺れ検知信号を受信すると、点灯への切り替えを指示する切替信号を、例えば赤外線で照明装置１０に送信する。
【００４５】
電池４５は、一次電池または二次電池であって、送信制御部４３および振動センサ４４に駆動電力を供給する。
【００４６】
このようなリモコン装置４１は、操作部４２に対するユーザの操作を受け付けると、照明装置１０に切替信号を送信する。これにより、照明装置１０は、消灯している状態でその切替信号を受信すると点灯する。また、照明装置１０は、点灯している状態でその切替信号を受信すると消灯する。したがって、ユーザは、このリモコン装置４１を、例えば、実施の形態１の壁スイッチ２０Ａの代わりに用いて、照明装置１０の点灯と消灯との切り替えを遠隔から行うことができる。
【００４７】
また、リモコン装置４１は、図４に示すように、振動センサ４４を備えていてもよい。これによれば、例えば地震があったときは、点灯への切り替えを指示する切替信号を照明装置１０に送信する。これにより、照明装置１０は、消灯している状態でその切替信号を受信すると点灯する。また、照明装置１０は、点灯している状態でその切替信号を受信したときには、消灯することなく点灯し続ける。したがって、地震があったときには、照明装置１０の周囲が自動的に照らし出されるため、周囲の状況をユーザに容易に認識させることができる。
【００４８】
停電検知部２２は、商用電源３０と照明装置１０との接続経路上に配置され、商用電源３０からの電力供給が停止しているか否か、つまり、停電しているか否かを検知する。停電検知部２２は、上記停電を検知した場合に、例えば、停電制御部２３に停電検知信号を出力する。
【００４９】
電池２４は、停電時に照明装置１０を点灯させるための電力を照明装置１０に供給する非常用電源である。なお、電池２４は、一次電池であってもよいし、二次電池であってもよい。電池２４が二次電池である場合には、電池２４は、例えば、停電していない通常時に商用電源３０からの電力供給を受けて充電される。電池２４は、例えば、家屋の壁に設けられた、リモコン装置４１を収容する収容部に内蔵されている。
【００５０】
停電制御部２３は、停電検知部２２、電池２４及び変換部２５に接続されている。停電制御部２３は、例えば、停電検知部２２からの停電検知信号を受けた場合に、電池２４からの電力を照明装置１０へ供給させる。これにより、照明装置１０は、停電時に、リモコン装置４１のＯＮ／ＯＦＦ操作に拘わらず、電池２４からの電力供給を受けて点灯することが可能となる。
【００５１】
つまり、リモコン装置４１は、停電検知部２２が停電を検知していない場合に、照明装置１０の点消灯を切り替え、停電制御部２３は、停電検知部２２が停電を検知した場合に、電池２４からの電力を照明装置１０に供給して照明装置１０を点灯させる。
【００５２】
なお、遠隔操作部４０は、照度センサを内蔵していてもよく、照明システム３の周囲が明るい場合には、停電制御部２３は、照度センサからの信号により照明装置１０を点灯させないという制御を行ってもよい。
【００５３】
また、停電検知部２２及び停電制御部２３は、例えば、リモコン装置４１が収容される収容部が照明装置１０と離れた場所に配置されている場合には、当該収容部に内蔵されていてもよい。これにより、照明システム全体としての構成を簡素化できる。
【００５４】
変換部２５は、電池２４から入力された電力を変換して照明装置１０が有する点灯回路に供給する回路である。より具体的には、上記点灯回路が交流電力を入力し当該交流電力を所定の電力に変換して発光部に供給する場合には、変換部２５は、電池２４から入力された直流電力を交流電力に変換して照明装置１０に供給する。また、上記点灯回路が、直流電力を入力し、当該直流電力を所定の電力に変換して発光部に供給する場合には、変換部２５は、電池２４から入力された直流電力の電圧値または電流値を変換して照明装置１０に供給する。
【００５５】
本実施の形態に係る照明システム３によれば、停電時に電源となり得る電池２４を、照明装置１０には内蔵させず、照明装置１０を遠隔操作する遠隔操作部４０に内蔵させている。これにより、照明装置１０を、緊急用または携帯用照明として使用する場合に、非常用電源である電池２４の劣化が抑制されるので、通常時と比べて緊急時における発光性能の低下を抑制することが可能となる。また、リモコン装置４１により照明装置１０が消灯している場合でも、停電となれば、照明装置１０を自動点灯させることが可能である。
【００５６】
なお、変換部２５はなくてもよい。ただし、この場合には、電池２４からの出力は、照明装置１０が有する点灯回路に供給される。このため、電池２４から出力される直流電力が照明装置１０の入力電力として整合できるように、照明装置１０の点灯回路に、入力電力変換機能を持たせる必要がある場合がある。
【００５７】
（実施の形態３）
実施の形態１に係るスイッチ部２０、および、実施の形態２に係る遠隔操作部４０により、緊急時における発光性能の低下を抑制することが可能となる。ここで、通常時に照明装置１０に供給される商用電源３０からの電力と、緊急時に照明装置１０に供給される電池２４からの電力とは、周波数、電圧及び電流などの仕様が異なる。例えば、商用電源３０から供給される電力の仕様は、ＡＣ１００Ｖであり、電池２４から供給される電力の仕様は、ＤＣ５０Ｖである。
【００５８】
このため、点灯回路が、通常時の商用電源３０からの供給電力を適切な直流電力に変換することが可能な構成のみを有しているだけでは、緊急時における発光性能が十分発揮されない場合が想定される。より具体的には、点灯回路が上記構成のみを有しているだけでは、通常時から緊急時にモードが切り替えられた場合に、発光部の定格値などを逸脱した電流などが発光部に供給される可能性がある。この場合、例えば、発光部の発光素子または周辺回路素子に過電流が流れることにより、当該発光素子または周辺回路素子が劣化してしまう可能性がある。
【００５９】
これに対して、実施の形態３に係る照明システムは、通常時と緊急時との間で供給される電力の仕様が大幅に異なる場合であっても、発光性能の低下を抑制することが可能な照明装置を備える。以下、実施の形態２に係る照明システムについて、実施の形態１に係る照明システム１と同じ構成を有するスイッチ部２０については説明を省略し、実施の形態１に係る照明システム１と異なる構成を有する照明装置を中心に説明する。
【００６０】
［３−１．照明装置の構成］
図５は、実施の形態３に係る照明装置１０Ａの構成を示す回路図である。図５に示された照明システムは、照明装置１０Ａと、スイッチ部２０とを備える。なお、図５には、照明システムに加えて、商用電源３０が示されている。
【００６１】
照明装置１０Ａは、ＬＥＤモジュールを有する発光部１４と、スイッチ部２０から伝達された電力を受け、当該電力に基づいて直流電力を発光部１４へ供給する点灯回路とを備える。
【００６２】
発光部１４は、発光素子を有する発光モジュールであり、点灯回路に電気的に接続されており、点灯回路から供給される電力により発光する。発光部１４の発光素子は、例えば、実施の形態１で挙げたＬＥＤ素子である。発光部１４は、点灯回路から供給される直流電力により、白色などの所定の色（波長）の光を放出することで発光する。
【００６３】
点灯回路は、商用電源３０または電池２４から供給された電力を、必要に応じて発光部１４が点灯するのに必要な電力に変換して、発光部１４に供給する。点灯回路は、例えば、商用電源３０から供給されるＡＣ１００Ｖの交流電力を、所定の電圧の直流電力に変換（ＡＣ−ＤＣ変換）して発光部１４に供給する。また、点灯回路は、例えば、電池２４から供給される直流電力を、所定の電圧の直流電力に変換（ＤＣ−ＤＣ変換）して発光部１４に供給する。
【００６４】
上記点灯回路は、整流回路１１と、電圧検知回路１５と、駆動回路１２と、出力回路１３とを備える。
【００６５】
照明装置１０Ａは、通常時には、商用電源３０からのＡＣ１００Ｖの電力を受け、また、緊急時には、電池２４からのＤＣ電力あるいは変換部２５からのＤＣまたはＡＣ電力を受ける。
【００６６】
整流回路１１は、例えば、４つのダイオードで構成されたダイオードブリッジＤＢからなる整流回路である。なお、整流回路１１によって整流された電流は、コンデンサＣ１により平滑化され、コンデンサＣ１、インダクタＬ１及びコンデンサＣ２で構成されるフィルタ回路により、所定の周波数にフィルタリングされる。
【００６７】
電圧検知回路１５は、整流回路１１よりも入力側の電源ラインに配置され、スイッチ部２０から供給された電力の交流電圧値を測定する入力電圧測定回路である。交流電圧値に対応した測定データは、駆動回路１２のＩＣ１へ入力される。電圧検知回路１５は、例えば、ダイオードブリッジＤＢ、ならびに、ダイオードブリッジＤＢの周辺に接続された抵抗素子Ｒ１〜Ｒ４、Ｒ１７及びインダクタＮＦ１で構成される。
【００６８】
駆動回路１２は、出力回路１３から発光部１４へ出力される直流電力を調整するためのＩＣ１を有している。より具体的には、駆動回路１２は、電圧検知回路１５で測定された交流電圧値に基づいて、ＩＣ１から出力回路１３のＦＥＴスイッチＱ１へ出力されるパルス制御信号のデューティー比を調整する。
【００６９】
出力回路１３は、ＦＥＴスイッチＱ１と、インダクタＬ１と、ダイオードＤ１とを有する。ＦＥＴスイッチＱ１のドレイン端子が、ダイオードＤ１のアノード端子及びインダクタＬ１の一方の端子に接続され、インダクタＬ１の他方の端子が発光部１４のカソード端子と接続され、ダイオードＤ１のカソード端子が発光部１４のアノード端子と接続されている。上記接続構成により、整流回路１１を介して出力回路１３に供給された電流は、磁気エネルギーとしてインダクタＬ１に蓄えられる。また、出力回路１３は、インダクタＬ１に蓄えられた磁気エネルギーを、ＦＥＴスイッチＱ１のスイッチ動作で規定されたタイミングで発光部１４へ放出する。
【００７０】
つまり、出力回路１３は、駆動回路１２のＩＣ１から出力されたパルス制御信号に対応させて、発光部１４へ直流電力を出力する。ＩＣ１から出力されたパルス制御信号は、電圧検知回路１５で測定された電圧値に基づいて生成される。すなわち、出力回路１３は、電圧検知回路１５で測定された交流電圧値に基づいた直流電力を発光部１４へ出力する回路である。
【００７１】
ここで、駆動回路１２及び出力回路１３が、電圧検知回路１５で測定された交流電圧値を参照せずに発光部１４へ電力供給する場合を想定する。この場合、例えば、商用電源３０からの供給電力ＡＣ１００Ｖに対して、出力回路１３が０．１５Ａの直流電流を発光部１４に出力したとする。これに対し、出力回路１３は、基本的には定電力回路であるため、電池２４からの供給電力ＤＣ５０Ｖに対して、０．２４Ａの直流電流を発光部１４に出力することになる。この直流電流が、例えば、発光部１４の定格値を超えるものである場合、発光部１４の発光素子または回路素子が破損して開放状態となってしまう場合が想定される。
【００７２】
これに対して、本実施の形態に係る照明装置１０Ａでは、上記回路構成により、例えば、以下のような電力調整が可能である。ここで、電圧検知回路１５からＩＣ１への交流電圧値に対応した測定電圧が、商用電源３０から供給された電力（ＡＣ１００Ｖ）に対応した電圧値である場合に、ＩＣ１から出力されるパルス制御信号のデューティー比をＤＲ１とする。これに対して、ＩＣ１は、電圧検知回路１５からＩＣ１への測定電圧が、電池２４から供給された電力（ＤＣ５０Ｖ）に対応した電圧値である場合のパルス制御信号のデューティー比ＤＲ２を、ＤＲ１よりも小さく設定する。これにより、出力回路１３は、電圧検知回路１５で測定された交流電圧値が電池２４から供給された電力に由来したものである場合、商用電源３０から供給された電力により発光部１４へ出力される直流電力よりも電力値または電流値が小さい直流電力を、発光部１４へ出力する。
【００７３】
例えば、商用電源３０からの供給電力ＡＣ１００Ｖに対して、出力回路１３が０．１５Ａの直流電流を発光部１４に出力したとする。これに対し、駆動回路１２は、電圧検知回路１５で測定された交流電圧値を参照してパルス制御信号を生成するため、出力回路１３は、電池２４からの供給電力ＤＣ５０Ｖに対して、０．１５Ａより小さい直流電流を発光部１４に出力することが可能となる。ただし、この場合には、緊急時での照明装置１０Ａの明るさは、通常時に比べて暗くなる。
【００７４】
また、緊急時に、通常時に供給される電力の電圧値よりも高い電圧値を有する電力が照明装置１０Ａ供給された場合には、緊急時での照明装置１０Ａの明るさを、通常時と同等または通常時に比べて明るくなるよう設定することが可能である。
【００７５】
本実施の形態の上記構成によれば、停電時において、通常時と異なる電圧値を有する電力が照明装置１０Ａに入力された場合であっても、発光部１４の破損及び劣化を防止することが可能となる。
【００７６】
なお、電圧検知回路１５は、上述したような抵抗素子およびインダクタで構成される回路に限定されない。その他ＦＥＴ及びコンデンサなどの回路素子を組み合わせてもよいし、また、ＩＣ化された電圧センサを用いても良い。
【００７７】
［３−２．照明装置の構成の変形例］
図６は、実施の形態３の変形例に係る照明装置１０Ｂの構成を示す回路図である。図６に示された照明システムは、照明装置１０Ｂと、スイッチ部２０とを備える。なお、図６には、照明システムに加えて、商用電源３０が示されている。図６に示された照明装置１０Ｂは、図５に示された照明装置１０Ａと比較して、電圧検知回路が直流電圧値を測定する構成が異なる。以下、本変形例に係る照明装置１０Ｂについて、実施の形態３に係る照明装置１０Ａと同じ構成については説明を省略し、照明装置１０Ａと異なる構成を中心に説明する。
【００７８】
照明装置１０Ｂは、ＬＥＤモジュールを有する発光部１４と、スイッチ部２０から伝達された電力を受け、当該電力に基づいて直流電力を発光部１４へ供給する点灯回路とを備える。
【００７９】
上記点灯回路は、整流回路１１と、電圧検知回路１６と、駆動回路１２と、出力回路１３とを備える。
【００８０】
電圧検知回路１６は、整流回路１１よりも出力側であって、正電源ラインと負電源ラインとの間に配置され、整流回路１１で整流された電力の直流電圧値を測定する入力電圧測定回路である。直流電圧値に対応した測定データは、駆動回路１２のＩＣ１へ入力される。
【００８１】
駆動回路１２は、出力回路１３から発光部１４へ出力される直流電力を調整するためのＩＣ１を有している。より具体的には、駆動回路１２は、電圧検知回路１６で測定された直流電圧値に基づいて、ＩＣ１から出力回路１３のＦＥＴスイッチＱ１へ出力されるパルス制御信号のデューティー比を調整する。
【００８２】
出力回路１３は、駆動回路１２のＩＣ１から出力されたパルス制御信号に対応させて、発光部１４へ直流電力を出力する。ＩＣ１から出力されたパルス制御信号は、電圧検知回路１６で測定された電圧値に基づいて生成される。すなわち、出力回路１３は、電圧検知回路１６で測定された直流電圧値に基づいた直流電力を発光部１４へ出力する回路である。
【００８３】
本変形例に係る照明装置１０Ｂでは、上記回路構成により、例えば、以下のような電力調整が可能である。ここで、電圧検知回路１６からＩＣ１への直流電圧値に対応した測定電圧が、商用電源３０から供給された電力（ＡＣ１００Ｖ）に対応した電圧値である場合に、ＩＣ１から出力されるパルス制御信号のデューティー比をＤＲ１とする。これに対して、ＩＣ１は、電圧検知回路１６からＩＣ１への測定電圧が、電池２４から供給された電力（ＤＣ５０Ｖ）に対応した電圧値である場合のパルス制御信号のデューティー比ＤＲ２を、ＤＲ１よりも小さく設定する。これにより、出力回路１３は、電圧検知回路１６で測定された直流電圧値が電池２４から供給された電力に由来したものである場合、商用電源３０から供給された電力により発光部１４へ出力される直流電力よりも電力値または電流値が小さい直流電力を、発光部１４へ出力する。
【００８４】
本変形例の上記構成によれば、停電時において、通常時と異なる電圧値を有する電力が照明装置１０Ｂに入力された場合であっても、発光部１４の破損及び劣化を防止することが可能となる。
【００８５】
なお、電圧検知回路１６は、抵抗素子、インダクタ素子、ＦＥＴ及びコンデンサなどの回路素子を組み合わせて構成してもよいし、また、ＩＣ化された電圧センサを用いても良い。
【００８６】
（実施の形態４）
実施の形態３に係る照明装置が入力電力の電圧値を検知したのに対して、本実施の形態に係る照明装置は、入力電力の電流値を検知する構成を有している。
【００８７】
図７は、実施の形態４に係る照明装置１０Ｃの構成を示す回路図である。図７に示された照明システムは、照明装置１０Ｃと、スイッチ部２０とを備える。なお、図７には、照明システムに加えて、商用電源３０が示されている。図７に示された照明装置１０Ｃは、図５に示された照明装置１０Ａと比較して、電流検知回路が交流電流値を測定する構成が異なる。以下、本実施の形態に係る照明装置１０Ｃについて、実施の形態３に係る照明装置１０Ａと同じ構成については説明を省略し、照明装置１０Ａと異なる構成を中心に説明する。
【００８８】
［４−１．照明装置の構成］
照明装置１０Ｃは、ＬＥＤモジュールを有する発光部１４と、スイッチ部２０から伝達された電力を受け、当該電力に基づいて直流電力を発光部１４へ供給する点灯回路とを備える。
【００８９】
点灯回路は、商用電源３０または電池２４から供給された電力を、必要に応じて発光部１４が点灯するのに必要な電力に変換して、発光部１４に供給する。点灯回路は、例えば、商用電源３０から供給されるＡＣ１００Ｖの交流電力を、所定の電圧の直流電力に変換（ＡＣ−ＤＣ変換）して発光部１４に供給する。また、点灯回路は、例えば、電池２４から供給される直流電力を、所定の電圧の直流電力に変換（ＤＣ−ＤＣ変換）して発光部１４に供給する。
【００９０】
上記点灯回路は、整流回路１１と、電流検知回路１７と、駆動回路１２と、出力回路１３とを備える。
【００９１】
照明装置１０Ｃは、通常時には、商用電源３０からのＡＣ１００Ｖの電力を受け、また、緊急時には、電池２４からのＤＣ電力あるいは変換部２５からのＤＣまたはＡＣ電力を受ける。
【００９２】
電流検知回路１７は、整流回路１１よりも入力側の電源ラインに配置され、スイッチ部２０から供給された電力の交流電流値を測定する入力電流測定回路である。交流電流値に対応した測定データは、駆動回路１２のＩＣ１へ入力される。
【００９３】
駆動回路１２は、出力回路１３から発光部１４へ出力される直流電力を調整するためのＩＣ１を有している。より具体的には、駆動回路１２は、電流検知回路１７で測定された交流電流値に基づいて、ＩＣ１から出力回路１３のＦＥＴスイッチＱ１へ出力されるパルス制御信号のデューティー比を調整する。
【００９４】
出力回路１３は、駆動回路１２のＩＣ１から出力されたパルス制御信号対応させて、発光部１４へ直流電力を出力する。ＩＣ１から出力されたパルス制御信号は、電流検知回路１７で測定された電流値に基づいて生成される。すなわち、出力回路１３は、電流検知回路１７で測定された交流電流値に基づいた直流電力を発光部１４へ出力する回路である。
【００９５】
ここで、駆動回路１２及び出力回路１３が、電流検知回路１７で測定された交流電流値を参照せずに発光部１４へ電力供給する場合を想定する。この場合、例えば、商用電源３０からの供給電力ＡＣ１００Ｖに対して、出力回路１３が０．１５Ａの直流電流を発光部１４に出力したとする。これに対し、出力回路１３は、基本的には定電力回路であるため、電池２４からの供給電力ＤＣ５０Ｖに対して、０．２４Ａの直流電流を発光部１４に出力することになる。この直流電流が、例えば、発光部１４の定格値を超えるものである場合、発光部１４の発光素子または回路素子が破損して開放状態となってしまう場合が想定される。
【００９６】
これに対して、本実施の形態に係る照明装置１０Ｃでは、上記回路構成により、例えば、以下のような電力調整が可能である。ここで、電流検知回路１７からＩＣ１への交流電流値に対応した測定電圧が、商用電源３０から供給された電力（ＡＣ１００Ｖ）に対応した入力値である場合に、ＩＣ１から出力されるパルス制御信号のデューティー比をＤＲ１とする。これに対して、ＩＣ１は、電流検知回路１７からＩＣ１への測定電圧が、電池２４から供給された電力（ＤＣ５０Ｖ）に対応した電圧値である場合のパルス制御信号のデューティー比ＤＲ２を、ＤＲ１よりも小さく設定する。これにより、出力回路１３は、電流検知回路１７で測定された交流電流値が電池２４から供給された電力に由来したものである場合、商用電源３０から供給された電力により発光部１４へ出力される直流電力よりも電力値または電流値が小さい直流電力を、発光部１４へ出力する。
【００９７】
本実施の形態の上記構成によれば、停電時において、通常時と異なる電流値を有する電力が照明装置１０Ｃに入力された場合であっても、発光部１４の破損及び劣化を防止することが可能となる。
【００９８】
なお、電流検知回路１７は、抵抗素子、インダクタ素子、ＦＥＴ及びコンデンサなどの回路素子を組み合わせて構成してもよいし、また、ＩＣ化された電流センサを用いても良い。
【００９９】
［４−２．照明装置の構成の変形例］
図８は、実施の形態４の変形例に係る照明装置１０Ｄの構成を示す回路図である。図８に示された照明システムは、照明装置１０Ｄと、スイッチ部２０とを備える。なお、図８には、照明システムに加えて、商用電源３０が示されている。図８に示された照明装置１０Ｄは、図７に示された照明装置１０Ｃと比較して、電流検知回路が直流電流値を測定する構成が異なる。以下、本変形例に係る照明装置１０Ｄについて、実施の形態４に係る照明装置１０Ｃと同じ構成については説明を省略し、照明装置１０Ｃと異なる構成を中心に説明する。
【０１００】
照明装置１０Ｄは、ＬＥＤモジュールを有する発光部１４と、スイッチ部２０から伝達された電力を受け、当該電力に基づいて直流電力を発光部１４へ供給する点灯回路とを備える。
【０１０１】
上記点灯回路は、整流回路１１と、電流検知回路１８と、駆動回路１２と、出力回路１３とを備える。
【０１０２】
電流検知回路１８は、整流回路１１よりも出力側であって、正電源ライン上に配置され、整流回路１１で整流された電力の直流電流値を測定する入力電流測定回路である。直流電流値に対応した測定データは、駆動回路１２のＩＣ１へ入力される。
【０１０３】
駆動回路１２は、出力回路１３から発光部１４へ出力される直流電力を調整するためのＩＣ１を有している。より具体的には、駆動回路１２は、電流検知回路１８で測定された直流電流値に基づいて、ＩＣ１から出力回路１３のＦＥＴスイッチＱ１へ出力されるパルス制御信号のデューティー比を調整する。
【０１０４】
出力回路１３は、駆動回路１２のＩＣ１から出力されたパルス制御信号対応させて、発光部１４へ直流電力を出力する。ＩＣ１から出力されたパルス制御信号は、電流検知回路１８で測定された電流値に基づいて生成される。すなわち、出力回路１３は、電流検知回路１８で測定された直流電流値に基づいた直流電力を発光部１４へ出力する回路である。
【０１０５】
本変形例に係る照明装置１０Ｄでは、上記回路構成により、例えば、以下のような電力調整が可能である。ここで、電流検知回路１８からＩＣ１への直流電流値に対応した測定電圧が、商用電源３０から供給された電力（ＡＣ１００Ｖ）に対応した電圧値である場合に、ＩＣ１から出力されるパルス制御信号のデューティー比をＤＲ１とする。これに対して、ＩＣ１は、電流検知回路１８からＩＣ１への測定電圧が、電池２４から供給された電力（ＤＣ５０Ｖ）に対応した電圧値である場合のパルス制御信号のデューティー比ＤＲ２を、ＤＲ１よりも小さく設定する。これにより、出力回路１３は、電流検知回路１８で測定された直流電流値が電池２４から供給された電力に由来したものである場合、商用電源３０から供給された電力により発光部１４へ出力される直流電力よりも電力値または電流値が小さい直流電力を、発光部１４へ出力する。
【０１０６】
本変形例の上記構成によれば、停電時において、通常時と異なる電流値を有する電力が照明装置１０Ｄに入力された場合であっても、発光部１４の破損及び劣化を防止することが可能となる。
【０１０７】
なお、電流検知回路１８は、抵抗素子、インダクタ素子、ＦＥＴ及びコンデンサなどの回路素子を組み合わせて構成してもよいし、また、ＩＣ化された電圧センサを用いても良い。
【０１０８】
（効果など）
以上のように、実施の形態１に係る照明システム１は、照明装置１０と、照明装置１０の点消灯を遠隔操作するスイッチ部２０とを有し、スイッチ部２０は、商用電源３０と照明装置１０との導通及び非導通を切り替えるスイッチ素子２１と、電池２４と、商用電源３０の停電を検知する停電検知部２２と、停電検知部２２が停電を検知した場合に、電池２４からの電力を照明装置１０に供給させる停電制御部２３とを備える。
【０１０９】
一般に、照明用光源は、点灯中に光源素子等が発する熱により高温となる。このため、非常用のバッテリーが照明用光源に内蔵されている場合、当該バッテリーは高温状態におかれるので劣化が早まる。よって、バッテリーを備える緊急用及び携帯用の照明用光源は、通常時の発光性能に比べて緊急時の発光性能が低下することとなる。
【０１１０】
これに対して、照明システム１では、停電時に電源となり得る電池２４を、照明装置１０には内蔵させず、照明装置１０を遠隔操作するスイッチ部２０に内蔵させている。これにより、照明装置１０を、緊急用または携帯用照明として使用する場合に、非常用電源である電池２４の劣化が抑制されるので、通常時と比べて緊急時における発光性能の低下を抑制することが可能となる。
【０１１１】
また、スイッチ部２０は、壁スイッチ２０Ａであり、スイッチ素子２１、電池２４、停電検知部２２、及び停電制御部２３は、壁スイッチ２０Ａに内蔵されていてもよい。
【０１１２】
これにより、照明システム１全体としての構成を簡素化できる。
【０１１３】
また、実施の形態２に係る照明システム３は、照明装置１０と、照明装置１０の点消灯を遠隔操作する遠隔操作部４０とを有し、遠隔操作部４０は、電池２４と、商用電源３０の停電を検知する停電検知部２２と、停電検知部２２が停電を検知していない場合に、照明装置１０の点消灯を切り替えるリモコン装置４１と、停電検知部２２が停電を検知した場合に、電池２４からの電力を照明装置１０に供給して照明装置１０を点灯させる停電制御部２３とを備える。
【０１１４】
これによれば、照明装置１０を、緊急用または携帯用照明として使用する場合に、非常用電源である電池２４の劣化が抑制されるので、通常時と比べて緊急時における発光性能の低下を抑制することが可能となる。また、リモコン装置４１により照明装置１０が消灯している場合でも、停電となれば、照明装置１０を自動点灯させることが可能である。
【０１１５】
また、照明装置１０は、発光素子を有する発光部１４と、スイッチ部２０から伝達された電力を受け、当該電力に基づいて直流電力を発光部１４へ供給する点灯回路とを備え、照明システム１は、さらに、電池２４からの電力を交流に変換し、または、電池２４からの電力の電圧値または電流値を変換して点灯回路に供給する変換部２５を備えてもよい。
【０１１６】
さらには、変換部２５は、電池２４からの電力を、商用電源３０と同じ周波数および同じ電圧に変換して上記点灯回路に供給してもよい。
【０１１７】
これにより、照明装置１０の構成を変更せず、壁スイッチ２０Ａなどに例示されるスイッチ部２０の回路構成を変更するだけで、通常時だけでなく停電時にも活用できる照明システムを構築することが可能となる。
【０１１８】
また、実施の形態２に係る照明装置１０Ａ及び１０Ｂは、発光素子を有する発光部１４と、スイッチ部２０から伝達された電力を受け、当該電力に基づいて直流電力を発光部１４へ供給する点灯回路とを備え、当該点灯回路は、スイッチ部２０から入力された電力の電圧値を測定する電圧検知回路と、当該電圧検知回路で測定された電圧値に基づいた直流電力を発光部１４へ出力する出力回路１３とを備えてもよい。
【０１１９】
また、出力回路１３は、電圧検知回路で測定された電圧値が電池２４から供給された電力に由来したものである場合、商用電源３０から供給された電力により発光部１４へ出力される直流電力よりも電力値または電流値が小さい直流電力を、発光部１４へ出力してもよい。
【０１２０】
これにより、停電時において、通常時と異なる電圧値を有する電力が照明装置１０Ａ及び１０Ｂに入力された場合であっても、発光部１４の破損及び劣化を防止することが可能となる。
【０１２１】
また、実施の形態３に係る照明装置１０Ｃ及び１０Ｄは、発光素子を有する発光部１４と、スイッチ部２０から伝達された電力を受け、当該電力に基づいて直流電力を発光部１４へ供給する点灯回路とを備え、当該点灯回路は、スイッチ部２０から入力された電力の電流値を測定する電流検知回路と、当該電流検知回路で測定された電流値に基づいた直流電力を発光部１４へ出力する出力回路１３とを備えてもよい。
【０１２２】
また、出力回路１３は、電流検知回路で測定された電流値が電池２４から供給された電力に由来したものである場合、商用電源３０から供給された電力により発光部１４へ出力される直流電力よりも電力値または電流値が小さい直流電力を、発光部１４へ出力してもよい。
【０１２３】
これにより、停電時において、通常時と異なる電流値を有する電力が照明装置１０Ｃ及び１０Ｄに入力された場合であっても、発光部１４の破損及び劣化を防止することが可能となる。
【０１２４】
（その他変形例など）
以上、本発明に係る照明システムについて、実施の形態１〜３及びその変形例に基づいて説明したが、本発明は、これらの実施の形態および変形例に限定されるものではない。
【０１２５】
例えば、実施の形態１に係る変換部２５は、緊急時に電池２４から入力された直流電力を発光部１４に入力される直流電力に直接変換してもよい。つまり、変換部２５は、照明装置が有する点灯回路の機能を有してもよい。なお、この場合には、緊急時に照明装置の点灯回路を経由せずに変換部２５と発光部１４とを直接接続する配線経路と、通常時に点灯回路と発光部１４とを接続する配線経路とを切り替える構成をさらに有することが好ましい。
【０１２６】
また、スイッチ部２０である遠隔操作部は、壁スイッチ２０Ａでなくてもよく、輝度、明度及び色度などを遠隔調整する調整ツマミなどが配置された調整部などであってもよい。
【０１２７】
その他、実施の形態１〜３及びその変形例に対して当業者が思いつく各種変形を施して得られる形態、または、本発明の趣旨を逸脱しない範囲で実施の形態１〜３及びその変形例における構成要素及び機能を任意に組み合わせることで実現される形態も本発明に含まれる。
【符号の説明】
【０１２８】
１、２、３    照明システム
１０、１０Ａ、１０Ｂ、１０Ｃ、１０Ｄ    照明装置
１３    出力回路
１４    発光部
１５、１６    電圧検知回路（入力電圧測定回路）
１７、１８    電流検知回路（入力電流測定回路）
２０、２６    スイッチ部（遠隔操作部）
２０Ａ、２０Ｂ    壁スイッチ
２１    スイッチ素子
２２    停電検知部
２３    停電制御部
２４    電池
２５    変換部
３０    商用電源
４０    遠隔操作部
４１    リモコン装置
【図１】
2016219385.tif 000003
【図２Ａ】
2016219385.tif 000004
【図２Ｂ】
2016219385.tif 000005
【図３】
2016219385.tif 000006
【図４】
2016219385.tif 000007
【図５】
2016219385.tif 000008
【図６】
2016219385.tif 000009
【図７】
2016219385.tif 000010
【図８】
2016219385.tif 000011